(57)【要約】【課題】枠体の転倒を防止できると共に設計自由度の高い、枠体付き壁構造を提供する。【解決手段】本発明に係る枠体付き壁構造は、少なくとも正面側が開放された枠体11と、枠体11の奥行寸法D1よりも小さな厚み寸法D2を有する壁体20と、壁体20に形成されており、枠体11の背面側の一部を収容可能な凹部Cと、枠体11を壁体20に固定する固定手段30と、を備え、枠体11は、凹部Cに一部が収容されており、かつ、固定手段30を用いて壁体20に固定されている。【選択図】図３
2017014794.tif 000002
【特許請求の範囲】
【請求項１】
少なくとも正面側が開放された枠体と、
前記枠体の背面側の一部を収容可能な凹部が形成されており、前記枠体の奥行寸法よりも小さな厚み寸法を有する壁体と、
を備え、
前記枠体は、前記凹部に一部が収容されており、かつ、前記壁体に固定されている、枠体付き壁構造。
【請求項２】
前記枠体の下端は、床面よりも高い位置にある、請求項１に記載の枠体付き壁構造。
【請求項３】
前記凹部を形作る２つの側面は前記枠体を挟み込んでおり、前記枠体を前記側面に固定する、請求項１又は２に記載の、枠体付き壁構造。
【請求項４】
前記凹部を形作る天面は天井面と連続する連続面であり、前記枠体を前記連続面に固定する、請求項１乃至３のいずれか１項に記載の枠体付き壁構造。
【請求項５】
前記凹部を形作る底面で前記枠体を支持する、請求項１乃至４のいずれか１項に記載の枠体付き壁構造。
【請求項６】
前記凹部の奥行き方向寸法は、前記枠体の奥行寸法の半分以下である請求項１乃至５のいずれか１項に記載の、枠体付き壁構造。
【発明の詳細な説明】
【技術分野】
【０００１】
本発明は、枠体付き壁構造に関する。
【背景技術】
【０００２】
収納用等の枠体を壁体に取り付けた従来の枠体付き壁構造としては、正面側が開放された枠体（収納ボックス）を壁体（壁）内に埋設するものがある（例えば、特許文献１参照。）。このように、枠体を壁体内に埋設する構造によれば、枠体が完全に壁体内に埋設されるため、枠体が大きな地震等によって転倒する危険性がない。
【先行技術文献】
【特許文献】
【０００３】
【特許文献１】特開平１０−１９６２２４号公報
【発明の概要】
【発明が解決しようとする課題】
【０００４】
しかしながら、本願発明者は、こうした従来の枠体付き壁構造は、枠体が完全に壁体内に埋設されるため、枠体の転倒防止には有効であるが、壁体は、枠体の奥行寸法よりも厚み寸法を大きくする必要があり、適用可能な壁体に制限があることを認識するに至った。
【０００５】
本発明の目的は、枠体の転倒を防止できると共に設計自由度の高い、枠体付き壁構造を提供することにある。
【課題を解決するための手段】
【０００６】
本発明に係る枠体付き壁構造は、少なくとも正面側が開放された枠体と、前記枠体の背面側の一部を収容可能な凹部が形成されており、前記枠体の奥行寸法よりも小さな厚み寸法を有する壁体と、を備え、前記枠体は、前記凹部に一部が収容されており、かつ、前記壁体に固定されている。
本発明に係る枠体付き壁構造によれば、枠体の転倒を防止できると共に、設計自由度を高めることができる。
【０００７】
本発明に係る枠体付き壁構造は、前記枠体の下端は、床面よりも高い位置にあることが好ましい。
この場合、支持脚等を用いることなく、枠体を支持できることにより、枠体の下方に形成される空間を有効に利用することができ、また、床も掃除し易くなる。
【０００８】
本発明に係る枠体付き壁構造は、前記凹部を形作る２つの側面は前記枠体を挟み込んでおり、前記枠体を前記側面に固定することが好ましい。
この場合、枠体の背面側の部分や当該枠体の背面側に位置する凹部の部分の厚みを薄くしたり、枠体の背面側を開口させても、壁体に対して枠体を固定することができる。
【０００９】
本発明に係る枠体付き壁構造は、前記凹部を形作る天面は天井面と連続する連続面であり、前記枠体を前記連続面に固定することが好ましい。
この場合、枠体が天井面に隣接する位置に配置されるため、枠体のよりも下方の空間を広く確保することができる。
【００１０】
本発明に係る枠体付き壁構造は、前記凹部を形作る底面で前記枠体を支持することが好ましい。
この場合、枠体の安定性が向上し、枠体の転倒防止により有効である。
【００１１】
本発明に係る枠体付き壁構造では、前記凹部の奥行き方向寸法は、前記枠体の奥行寸法の半分以下であることが好ましい。
この場合、壁体の厚みを薄くさせることにより、壁体に固定された枠体の周辺空間を広く確保できるとともに枠体の内部空間を大きく確保することができる。
【発明の効果】
【００１２】
本発明によれば、枠体の転倒を防止できると共に設計自由度の高い、枠体付き壁構造を提供することができる。
【図面の簡単な説明】
【００１３】
【図１】（ａ）は、本発明の第１の実施形態に係る枠体付き壁構造（吊収納構造）を示す正面図であり、（ｂ）は、（ａ）のＸ−Ｘ断面図である。
【図２】図１（ａ）のＹ−Ｙ断面図である。
【図３】図１（ａ）のＺ−Ｚ断面図である。
【図４】本発明の第２の実施形態に係る枠体付き壁構造（フロート収納構造）を示す縦断面図である。
【図５】図４に係る枠体付き壁構造を示す横断面図である。
【図６】本発明の第３の実施形態に係る枠体付き壁構造（壁埋込み収納構造）を示す縦断面図である。
【図７】図６に係る枠体付き壁構造を示す横断面図である。
【図８】本発明の第４の実施形態に係る枠体付き壁構造（水廻り収納構造）を有する洗面所及び浴室の間取りを示す平面図である。
【図９】（ａ）は、本発明の第５の実施形態に係る枠体付き壁構造（冷蔵庫収納構造）を有するキッチンを示す要部平面図であり、（ｂ）は、（ａ）に係る凹部を示す斜視図である。
【発明を実施するための形態】
【００１４】
以下、図面を参照して、本発明の様々な実施形態に係る枠体付き壁構造を説明する。以下の説明では、図示のように、「前後方向」、「上下方向」及び「左右方向」を互いに直交する座標軸で定義する。さらに、以下の説明では、「前面」及び「後面」はそれぞれ、「正面」及び「背面」ともいい、特に、「奥行き方向」とは、正面から背面に向かう方向をいうが、単に、「前後方向」を意味することも含まれる。
【００１５】
図１〜図３は、本発明の第１の実施形態に係る枠体付き壁構造（吊収納構造）を示す。本実施形態は、例えば、収納装置（例えば、押入れやクローゼット等）を有する居間や寝室における壁構造である。
【００１６】
図１（ａ），（ｂ）中、符号１０は、収納装置である。収納装置１０は、少なくとも正面側が開放された枠体１１を有する。本実施形態では、収納装置１０は、正面側に開口部が形成されている。具体的には、枠体１１は、左右一対の側板１１ａと、２つの側板１１ａの上端を繋ぐ天板１１ｂと、２つの側板１１ａの下端を繋ぐ底板１１ｃとを有しており、さらに、収納装置１０の背面側が、後述するように背板１２によって閉じられている。これにより、収納装置１０では、正面側のみが開口されている。
【００１７】
また、図２に示すように、枠体１１の内部には、仕切板１３が配置されている。これにより、収納装置１０の内部は、左右２つの収納空間Ｒに区画されている。収納装置１０の開口部には、左側の収納空間Ｒを閉塞する両開き扉１５、及び右側の収納空間Ｒを閉塞する片開き扉１６が設けられている。また、収納空間Ｒには、枠体１１の側板１１ａと仕切板１３との間にパイプを架け渡す等して、ハンガー等を掛けることができるようにすることができる。
【００１８】
さらに、図３に示すように、収納空間Ｒにはそれぞれ、棚１４が設けられている。棚１４は、枠体１１に固定、或いは枠体１１に取り付けられたダボを介して取り外し可能に保持されている。
【００１９】
図１〜３中、符号２０は、床部１の上に起立し上端が天井部２まで達する壁体である。壁体２０は、枠体１１の奥行寸法Ｄ１よりも小さな厚み寸法Ｄ２を有する。このため、枠体１１は、壁体２０に対して完全に埋まることがない。
【００２０】
壁体２０は、図２に示すように、例えば、軽量鉄骨製のスタッド材からなる複数の下地材等２３ａ、及び複数の下地材２３ａに貼着された壁材２１及び２２を備えている。これらの下地材２３ａはそれぞれ、固定手段によって床部１及び天井部２に固定されたランナーによって下端と上端が連結されて直線的に配置されている。壁材２１及び２２は、下地材２３ａに対しビス等の固定手段によって固定されている。
【００２１】
壁体２０は、天井部２よりも下側の、図２の水平断面視の形状で示すように、向かって左側が手前方向に直角に折れ曲がり入隅部を形成している。具体的には、入隅部は、左右方向に延びる正面部２０ａと、この正面部２０ａの左端から当該正面部２０ａと直交するように手前側に向かって延びる側面部２０ｂと、で形作られている。
【００２２】
符号Ｃは、壁体２０に形成されており、枠体１１の背面側の一部を収容可能な凹部である。本実施形態では、図１（ａ）に示すように、凹部Ｃは、壁材２１に形成された開口部２４を有している。具体的には、図１に示すように、壁材２１に形成された開口部２４、すなわち、凹部Ｃの開口部２４は、正面視の形状（開口部２４を正面から見たときの形状）が枠体１１の正面視の形状に対応している。具体的には、凹部Ｃの開口部２４の正面視における輪郭形状は、枠体１１の正面視における輪郭形状とほぼ同一である。さらに具体的には、凹部Ｃの開口部２４は、左右一対の側縁２４ａと、２つの側縁２４ａの上端を繋ぐ上縁２４ｂと、２つの側縁２４ａの下端を繋ぐ下縁２４ｃと、で形作られた矩形形状である。
【００２３】
凹部Ｃは、図２及び３に示すように、開口部２４の正面視の輪郭形状に対応する、左右一対の側面２５ａと、２つの側面２５ａの上端に一致する天面２５ｂと、２つの側面２５ａの下端に一致する底面２５ｃと、これらの面２５ａ，２５ｂ及び２５ｃの内側に形作られた空間の奥行きを規定する奥行き面２５ｄと、で形作られている。
【００２４】
凹部Ｃの右側の側面２５ａは、板材２６の表面で形作られる。板材２６は、壁材２１及び２２の間で、上下方向に延びる板材であり、ビス等の固定手段によって固定手段によって、下地材２３ａに取り付けられている。
【００２５】
凹部Ｃの左側の側面２５ａは、上下方向に延びる板材２７の右側面で形作られている。板材２７は、壁体２０の側面部２０ｂの壁材２１と枠体１１の側板１１ａとの間に配置されている。板材２７の右側面は、壁体２０の側面部２０ｂの壁材２１と連続する連続面を形成して凹部Ｃの左側の側面２５ａを形作っている。なお、連続面とは、側面部２０ｂの壁材２１の表面そのものも含む。このため、凹部Ｃの左側の側面２５ａは、壁体２０の側面部２０ｂの壁材２１の表面で形作ることができる。壁体２０の側面部２０ｂの壁材２１の一部が板材２１ａで構成されており、凹部Ｃの左側の側面２５ａを、板材２１ａの表面で形作ることができる。
【００２６】
また、凹部Ｃの天面２５ｂは、天井部２の天井面２ｆと連続する連続面である。天井部２の天井面２ｆと枠体１１の天板１１ｂとの間には、左右方向に延びる板材２８が配置されている。板材２８の下面は、天井部２の天井面２ｆと連続する連続面を形成して凹部Ｃの天面２５ｂを形作っている。なお、連続面とは、天井部２の天井面２ｆそのものも含む。このため、凹部Ｃの天面２５ｂは、天井部２の天井面２ｆで形作ることも可能である。
【００２７】
さらに、凹部Ｃの底面２５ｃは、板材２９の表面で形作られている。板材２９は、壁材２１及び２２の間で、左右方向に延びる板材である。板材２９は、壁材２１固定の為の下地材を兼ねる矩形枠状の支持フレームＦの上枠に固定持されている。
【００２８】
また、凹部Ｃの奥行き面２５ｄは、下地材２３ｂの表面で形作られている。下地材２３ｂは、例えば、軽量鉄骨製のスタッド材からなり、固定手段によって床部１及び天井部２に固定されたランナーによって下端と上端が連結されて直線的に配置されている。壁材２１及び２２は、下地材２３ａに対しビス等の固定手段によって固定されている。
【００２９】
図２に示すように、凹部Ｃを形作る２つの側面２５ａは、収納装置１０における枠体１１の側板１１ａを凹部Ｃの側面２５ａに接触させて枠体１１を挟み込んでいる。これにより、枠体１１は、壁体２０に設けた凹部Ｃに対する左右方向の位置決めがなされている。また、枠体１１の背板１２は、凹部Ｃの奥行き面２５ｄに当接されている。これにより、枠体１１は壁体２０に設けた凹部Ｃに対する奥行き方向の位置決めがなされている。
【００３０】
また、図３に示すように、凹部Ｃを形作る天面２５ｂは天井面２ｆと連続する板材２８の下面であり、枠体１１の天板１１ｂは凹部Ｃの天面２５ｂに当接されている。枠体１１の下端（本実施形態では、枠体１１の側板１１ａの下端１１ｅ）は、床面１ｆよりも高さＨだけ高い位置にあり、凹部Ｃを形作る底面２５ｃで支持されている。より具体的には、板材２９の上面を凹部Ｃを形作る底面２５ｃとして、枠体１１の２つの側板１１ａの下端１１ｅの背面側の部分及び背板１２の下端１２ｅを板材２９の上面に載置している。これにより、枠体１１は、壁体２０に設けた凹部Ｃに対して上下方向の位置決めがなされるとともに、少なくとも枠体１１の前面側の一部が壁体２０から突出した片持ち支持状態が保たれている。
【００３１】
さらに、図１に示すように、壁体２０と枠体１１の側板１１ａとの間の隙間と、枠体１１の天板１１ｂと天井部２との間の隙間とを埋めるために、フィラープレート（隙間調整部材）３１が用いられている。具体的には、フィラープレート３１は、壁体２０の側面部２０ｂと枠体１１の一方の側板（本実施形態では、左側の側板）１１ａとの間の隙間と、天井部２と枠体１１の天板１１ｂとの間の隙間とを埋めている。
【００３２】
図２及び図３において、符号３０は、枠体１１を壁体２０に固定する固定手段である。固定手段３０は、枠体１１を凹部Ｃの２つの側面２５ａに固定している。具体的には、固定手段３０は、枠体１１の右側の側板１１ａを板材２６を介して壁体２０に固定しており、枠体１１の左側の側板１１ａを板材２７を介して壁体２０に固定している。固定手段３０は、例えば、釘、ビス、等が挙げられる。詳細には、枠体１１の背板１２を下地材２３ｂに接触させて位置決めを行った後、固定手段３０を用いて、枠体１１（開き扉１５及び１６と一体又は別体を問わず）の側板１１ａを、板材２６，２７を介して壁体２０に固定する。なお、固定手段３０は、枠体１１の背板１２を凹部Ｃの奥行き面２５ｄを介して壁体２０に固定することもできる。具体的には、固定手段３０は、枠体１１の背板１２を下地材２３ｂに固定することができる。
【００３３】
また、図３に示すように、凹部Ｃを形作る天面２５ｂは天井面２ｆと連続する板材２８の下面であり、固定手段３０は、枠体１１を凹部Ｃの天面２５ｂに固定している。具体的には、固定手段３０は、板材２８を介して枠体１１の天板１１ｂを天井部２（天井面２ｆ）に固定している。さらに、図２及び３に示すように、固定手段３０は、枠体１１の左側の側板１１ａと天板１１ｂをそれぞれ、フィラープレート３１を介して固定手段３０によって壁体２０及び天井部２に固定している。すなわち、本実施形態において、枠体１１の前面側は、フィラープレート３１を介して壁体２０及び天井部２に固定されている。
【００３４】
本実施形態に係る枠体付き壁構造では、少なくとも正面側が開放された枠体１１と、枠体１１の背面側の一部を収容可能な凹部Ｃが形成されており、枠体１１の奥行寸法Ｄ１よりも小さな厚み寸法Ｄ２を有する壁体２０と、を備え、枠体１１は、凹部Ｃに一部が収容されており、かつ、壁体２０に固定されている。従って、収納装置１０（枠体１１）の転倒を防止できると共に、壁体２０の選択可能範囲が広がることで枠体付き壁構造全体としての設計自由度を高めることができる。
【００３５】
また、枠体１１の下端（側板１１ａの下端１１ｅ）が、床面１ｆよりも高さＨだけ高い位置にあり、支持脚等を用いることなく枠体１１が支持されているので、枠体１１の下方に形成される床面１ｆとの間の空間を有効に利用することができ、また、床１も掃除し易くなる。
【００３６】
また、凹部Ｃを形作る２つの側面２５ａが枠体１１を挟み込んでおり、固定手段３０は、枠体１１を凹部Ｃの側面２５ａに固定している。この場合、枠体１１の背面側の部分（本実施形態では、背板１２）や枠体１１の背面側に位置する凹部の部分（本実施形態では、凹部Ｃの奥行き面２５ｄが形成される下地材２３ｂ）の厚みを薄くしたり、枠体１１の背面側を開口させても、壁体２０に対して枠体１１を固定することができる。例えば、枠体１１の背板１２や下地材２３ｂの厚みを薄くした場合でも、固定手段３０を背板１２や下地材２３ｂに貫通させる必要がない。
【００３７】
また、凹部Ｃを形作る天面２５ｂは天井面２ｆと連続する連続面（板材２８の下面）であり、固定手段３０は、板材２８を介して枠体１１を天井部２（天井面２ｆ）に固定している。この場合、枠体１１が天井面２ｆに隣接する位置に配置されるため、枠体１１よりも下方の空間を広く確保することができる。特に、枠体１１を天井面２ｆ側でも固定すれば、収納装置１０の転倒防止にさらに有効であり、収納装置１０の安全性が向上する。なお、固定手段３０は、板材２８を介在させることなく、枠体１１を天井部２の天井面２ｆに直接固定することもできる。さらに、収納装置１０の前面側も、フィラープレート３１を介して固定手段３０によって壁体２０及び天井部２（天井面２ｆ）に固定されている。このように、少なくとも枠体１１の前面側を天井部２（天井面２ｆ）に固定すれば、凹部Ｃ側（後面側）で片持ち支持された枠体１１の前面側が吊下げ保持されるため、安全性が増す。
【００３８】
さらに、凹部Ｃを形作る底面２５ｃで枠体１１を支持しているため、枠体１１の鉛直荷重を凹部Ｃの底面２５ｃで負担させることができることにより、壁体２０に対して片持ち支持されている枠体１１の安定性がさらに向上し、枠体１１の転倒防止に有効である。
【００３９】
また、凹部Ｃの奥行き方向寸法Ｄ３は、枠体１１の奥行寸法Ｄ１の半分以下である。この場合、壁体２０の厚みを薄くさせることにより、壁体２０に固定された枠体１１の周辺空間を広く確保できるとともに枠体１１の内部空間を大きく確保することができる。
【００４０】
上述のとおり、本実施形態に係る枠体付き壁構造によれば、収納装置１０の転倒を防止できると共に設計自由度の高い、枠体付き壁構造を提供することができる。
【００４１】
図４及び図５は、本発明の第２の実施形態に係る枠体付き壁構造（フロート収納構造）を示す。本実施形態は、例えば、下駄箱等の玄関収納が設けられた壁構造である。なお、以下の説明において、第１の実施形態と実質的に同一の部分は、同一の符号をもって、その説明を省略する。
【００４２】
本実施形態では、収納装置１０には、２つの収納空間Ｒが形成されており、夫々の開口部を閉塞する片開き扉１６が設けられている。また、図４に示すように、枠体１１（凹部Ｃ）が天井面２ｆよりも下方の、低い位置に配置されている。このため、板材２８は、板材２８の上方に設けられた矩形枠状の支持フレームＦの下枠に対し固定手段によって固定されている。支持フレームＦも同様に、固定手段によって、壁材２１に取り付けられている。なお、本実施形態も、凹部Ｃの奥行き方向寸法Ｄ３は、枠体１１の奥行寸法Ｄ１の半分以下である。
【００４３】
図６及び図７は、本発明の第３の実施形態に係る枠体付き壁構造（壁埋込み収納構造）を示す。以下の説明において、他の実施形態と実質的に同一の部分は、同一の符号をもって、その説明を省略する。
【００４４】
第１及び第２の実施形態に係る枠体１１は、予め壁体２０の凹部Ｃに背板１２を組み付けた後、凹部Ｃに組み付けられた背板１２に対して取り付けることができる。
【００４５】
これに対し、本実施形態では、壁体２０の凹部Ｃに対して、組立て済の収納装置１０そのものを組み付ける。具体的には、収納装置１０は、図６及び７に示すように、枠体１１の背面寄りの位置の内面に背板１２を固定することで形成されている。詳細には、枠体１１の２つの側板１１ａの背面寄りの位置の内面に溝を形成し、これらの溝を案内にして背板１２を組み付ける。本実施形態では、収納装置１０は、開口部には扉が設けられず収納空間Ｒが開放された形態を有する。
【００４６】
図７に示すように、凹部Ｃの側面２５ａは、他の実施形態で説明したのと同様、板材２６の表面で形作られる。板材２６は、壁材２１及び２２の間で、上下方向に延びる板材であり、固定手段によって、下地材２３ｂに取り付けられている。
【００４７】
凹部Ｃの天面２５ｂ及び底面２５ｃは、図６に示すように、壁材２０及び２１の固定の下地となる複数の下地材３４の端面に取り付けられたプレート部材３３の表面で形作られている。
【００４８】
凹部Ｃの奥行き面２５ｄは、板材３５の表面で形作られている。板材３５は、壁材２１の補強のために設置された、上下方向及び左右方向に延びる板材であり、２本の下地材２３ｂの隅角の凹部に嵌め込まれ固定手段３０によって下地材２３ｂに固定されている。板材３５には、例えば、パーティクルボードや合板を使用することができる。
【００４９】
収納装置１０を壁体２０の凹部Ｃに組み付ける際には、組立て済の収納装置１０を凹部Ｃに収容した後、枠体１１を凹部Ｃの２つの側面２５ａに固定する。凹部Ｃを形作る２つの側面２５ａは枠体１１を挟み込んでおり、固定手段３０は、枠体１１の側板１１ａを下地材２３ｂに固定している。固定手段３０の頭部が露出しないように、壁材２１や２２を貼着する前に板材２６側から固定手段３０打ち込んで（またはねじ込んで）枠体１１を板材２６に固定してもよい。
【００５０】
図８は、本発明の第４の実施形態に係る枠体付き壁構造（水廻り収納構造）を示す。本実施形態は、浴室ＢＲ及び洗面所ＬＲを有する住宅において、収納を洗面所ＬＲに設けた壁構造である。なお、以下の説明において、他の実施形態と実質的に同一の部分は、同一の符号をもって、その説明を省略する。
【００５１】
洗面所ＬＲは、洗面化粧台ＷＳ及び洗濯機用の給排水の配管工事が施された洗濯機置き場ＷＭを備えている。洗面所ＬＲと廊下等の他の室内空間とは、間仕切壁（壁体）１０１によって仕切られ、洗面所ＬＲと浴室ＢＲとはる間仕切壁（壁体）１０２によって仕切られている。間仕切壁（壁体）１０１及び間仕切壁（壁体）１０２には、それぞれ出入り口用の開口部Ａ１、Ａ２が設けられている。間仕切壁１０１には、間仕切壁１０２に隣接して凹部Ｃが設けられている。
【００５２】
凹部Ｃの一方の側面（左側の側面）２５ａは、間仕切壁１０２の側面から間隔を置いた位置に形作られている。本実施形態では、間仕切壁１０２の開口部Ａ２には、開き扉１０３が設けられている。また、収納装置１０を間仕切壁１０１の凹部Ｃに嵌め込んで固定することにより、収納装置１０の前面が、開口部Ａ２に設けられた開き扉１０３の縦枠１０５の内面を含む面Ｆ１と同一面上もしくは面Ｆ１よりも後退した位置に配置されている。
【００５３】
なお、収納装置１０には、籠や棚やフックを設置することができる。また、収納装置１０の収納深さ（奥行き深さ）は、２９０ｍｍ以上が好適であり、より好適には、３００ｍｍ以上、さらに好適には、３１０ｍｍ以上、最も好適には、３２０ｍｍ以上である。３２０ｍｍ以上の場合、洗濯籠、ヘルスメータ、バスブーツ等を収納しやすい。
【００５４】
間仕切壁１０１の開口部Ａ１には、片引き扉１０４が設けられている。片引き扉１０４は、天井面または壁面に設けられたスライドレールから垂下した吊り形式の扉であり、破線で示すように、凹部Ｃが設けられた間仕切壁１０１における凹部Ｃが設けられた側と反対の壁面（廊下等の他の室内空間側の壁面）よりも外側にオフセットした状態で設置されている。この場合、間仕切壁１０１に枠体１１の一部を埋設するための領域を容易に確保できる。また、片引き扉１０４は、廊下等の他の室内空間側に設置されているので、収納装置１０と干渉することがない。さらに、収納装置１０の一部が間仕切壁１０１に埋設されることで、収納装置１０の前面側が間仕切壁１０２に形成された開口部Ａ２に被らないので、出入りがスムーズに行え、美観にも優れる。
【００５５】
なお、間仕切壁１０１における凹部Ｃが形成された部分の厚み寸法ｄは、１００ｍｍ以下とすることが好ましい。より好適には、厚み寸法ｄは、９０ｍｍ以下、さらに好適には、８０ｍｍ以下、最も好適には、７０ｍｍ以下である。
【００５６】
図９は、本発明の第５の実施形態に係る枠体付き壁構造（冷蔵庫収納構造）を示す。本実施形態は、キッチンＫを有する住宅において、収納としての冷蔵庫ＲＲをキッチンＫに配置した壁構造である。なお、以下の説明において、他の実施形態と実質的に同一の部分は、同一の符号をもって、その説明を省略する。
【００５７】
本実施形態に係る枠体付き壁構造を備える住宅建物は、外周壁（壁体）２０１に沿って冷蔵庫ＲＲ及び食器棚ＳＫと、食器棚との間に作業スペースを設け、且つ外周壁（壁体）２０１に直交する外周壁（壁体）２０２に対し一方の側面が接するように設置されたキッチンセットＫＳと、を有し、作業者がダイニングスペースに向かって作業するように計画された対面式キッチンである。外周壁２０１には、凹部Ｃが設けられており、図９（ｂ）に示すように、凹部Ｃの底面２５ｃはキッチンの床面１ｆと段差なく同一の床材で仕上げられている。
【００５８】
図９（ａ）に示すように、間仕切壁２０１の凹部Ｃに対し冷蔵庫ＲＲの背面側の部分を嵌め込むことにより、冷蔵庫ＲＲの前面が、面Ｆ２よりも外周壁２０１側にセットバックするように構成されている。この場合、一般に食器棚ＳＫに比べて奥行寸法の大きな冷蔵庫ＲＲの、食器棚の前面ラインＦ３からの突出寸法を低減させることができ、作業スペースとダイニングスペース等の間を行き来する動線の幅員を広く確保することができる。なお、凹部Ｃの天面２５ｂの高さは、天井部２の天井面２ｆに一致していてもよい。
【００５９】
以上の説明は、本発明の例示的な実施形態にすぎず、特許請求の範囲に従えば、様々な変更が可能となる。例えば、図１のような正面視した枠体１１の輪郭形状は、本実施形態のような矩形形状に限定されることなく、矩形形状以外の多角形状や丸形形状とすることができ、正面視した凹部Ｃの輪郭形状も同様である。また、本発明に係る壁体は、第１〜第３の実施形態にように、様々な構成要素を組み合わせた構造体であっても、ボード材等の単一の構成要素であってもよい。本実施形態に係る枠体付き壁構造の収納装置も、上述したところは例示的なものであって、少なくとも構成要素として枠体を有するものであればよく、例えば、背板や開き戸等を省略した枠体のみで構成することもできる。また、間仕切り壁以外にも、例えば、ＡＬＣパネル等の外壁材、フェノールフォーム等の板状断熱材、及び石膏ボード等の内装壁材を有する外周壁にも適用することが可能である。また、本実施形態に係る枠体付き壁構造の建物の間取りについても、上述したところは例示的なものであって、様々に変更することができる。さらに、各実施形態に採用された各構成は、互いに置き換えて、又は、組み合わせることができる。
【産業上の利用可能性】
【００６０】
本発明は、住宅に限らず、他の建物に採用することができ、例えば、枠体の内部は、収納や保管は勿論、展示等の目的に使用することができる。
【符号の説明】
【００６１】
１；床部，  １ｆ；床面，  ２；天井部，  ２ｆ；天井面，  １０；収納装置，  １１；枠体，  １１ａ；側板，  １１ｂ；天板，  １１ｃ；底板，  １２；背板，  １３；仕切板，  １４；棚，  １５；開き扉，  １６；開き扉，  ２０；壁体，  ２１；壁材，  ２２；壁材，  ２３ａ；下地材，  ２３ｂ；下地材，  ２４；凹部の開口部，  ２４ａ；凹部の開口部の側縁，  ２４ｂ；凹部の開口部の上縁，  ２４ｃ；凹部の開口部の下縁，  ２５ａ；凹部の側面，  ２５ｂ；凹部の天面，  ２５ｃ；凹部の底面，  ２５ｄ；凹部の奥行き面，  ２６；板材，  ２７；板材，  ２８；板材，  ２９；板材，  ３０；固定手段，  ３３；プレート部材，  ３４；ボード材，  ３５；板材，  １０１；間仕切壁（壁体），  １０２；間仕切壁，  ２０１；間仕切壁（壁体），  ２０２；間仕切壁，  Ａ１；出入り口用の開口部，  Ａ２；浴室口用の開口部，  Ａ３；出入り口用の開口部，  Ｃ；凹部，  Ｄ１；枠体の奥行寸法，  Ｄ２；壁体の厚み寸法，  Ｄ３；凹部の奥行き方向寸法，  Ｋ；キッチン，  Ｒ；収納空間，  ＣＴ；調理台，  ＲＲ；冷蔵庫，  ＳＫ；シンク
【図１】
2017014794.tif 000003
【図２】
2017014794.tif 000004
【図３】
2017014794.tif 000005
【図４】
2017014794.tif 000006
【図５】
2017014794.tif 000007
【図６】
2017014794.tif 000008
【図７】
2017014794.tif 000009
【図８】
2017014794.tif 000010
【図９】
2017014794.tif 000011